(57)【要約】  ＭＩＭＯチャネルにおけるＣＱＩフィードバック量を削減する無線受信装置、無線送信装置及びフィードバック方法を提供する。チャネル推定部（１０３）は、受信したパイロット信号を用いて、各送受信アンテナ間のＲＢ毎のチャネル行列を推定し、推定したチャネル行列を固有値分解して固有値と固有ベクトルを求める。フィードバック情報生成部（１０４）は、固有値をＲＢ毎に平均し、平均した固有値をストリーム毎にＣＱＩに変換し、第ｋストリームの送信帯域全体の平均ＣＱＩを求める。また、フィードバック情報生成部（１０４）は、第１ストリームの平均ＣＱＩと第ｋストリームの平均ＣＱＩとの相対値Ｄｋを算出し、各ストリームのＣＱＩに割り当てる量子化ビット数を決定してＣＱＩフィードバック情報を生成する。
2009125591.tif 000002
【特許請求の範囲】
【請求項１】
複数のアンテナから送信された信号を複数のアンテナを介して受信する受信手段と、
受信した前記信号のうちパイロット信号を用いて、送信アンテナ及び受信アンテナ間のチャネル行列を推定し、推定したチャネル行列を固有値分解して固有値を求めるチャネル推定手段と、
前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成手段と、
前記フィードバック情報を送信する送信手段と、
を具備する無線受信装置。
【請求項２】
前記フィードバック情報生成手段は、前記差分が大きいほど、２番目以降のストリームにおけるＭ個の品質指標を量子化する量子化ビット数を少なくする請求項１に記載の無線受信装置。
【請求項３】
前記フィードバック情報生成手段は、各ストリームの平均固有値に相当する品質指標をフィードバック情報のフォーマットにおける先頭にまとめて配置する請求項１に記載の無線受信装置。
【請求項４】
各ストリームの平均固有値に相当する品質指標を含むフィードバック情報を受信する受信手段と、
前記品質指標のストリーム間の差分を求め、前記差分に応じた量子化ビット数に基づいて、フィードバック情報を復調するフィードバック情報復調手段と、
を具備する無線送信装置。
【請求項５】
複数の送信アンテナ及び複数の受信アンテナ間のチャネル行列を推定し、推定したチャネル行列を固有値分解して固有値を求めるチャネル推定工程と、
受信した前記信号のうちパイロット信号を用いて、送信アンテナ及び受信アンテナ間のチャネル行列を推定し、推定したチャネル行列を固有値分解して固有値を求めるチャネル推定工程と、
前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成工程と、
前記フィードバック情報を送信する送信工程と、
を具備するフィードバック方法。
【発明の詳細な説明】
【技術分野】
【０００１】
本発明は、無線受信装置、無線送信装置及びフィードバック方法に関する。
【背景技術】
【０００２】
ＭＩＭＯ（Multiple-Input Multiple-Output）は、送信装置及び受信装置の双方がそれぞれ複数のアンテナを備え、高速かつ大容量な情報伝送を行う技術である。具体的には、複数のデータを同じ時間に同じ周波数を用いて伝送することができるので、高い伝送速度を実現することができる。【０００３】
このＭＩＭＯ伝送方式には、固有モード送信と呼ばれる伝送方式が知られている。固有モード送信では、送受信装置間の伝搬路情報をチャネル推定により求め、求めた伝搬路情報（伝搬チャネル行列Ｈ）の相関行列ＨＨＨを固有値分解して、固有値行列Λと固有ベクトルＷを求める。この様子を式（１）に示す。そして、ＷＨＨを送信ウェイト、ＷＨを受信ウェイトとして利用することにより、固有値数分の並列伝送が可能になる。固有モード送信の概念図を図１に示す。
【数１】
2009125591.tif 000003
ここで、λｋは第ｋ固有値であり、λ１＞λ２＞λ３＞λ４という関係がある。第ｋストリームｓｋには送信ウェイトｗｋが割り当てられ、第ｋ固有値λｋのチャネルを使って送信する。そのため、固有値番号（ストリーム番号）ｋが小さいほど、高品質伝送を実現することができる。【０００４】
ところで、３ＧＰＰ（3rd Generation Partnership Project） ＬＴＥ（Long Term Evolution）の下りリンクにおけるセルスループットを改善する技術として、周波数スケジューリング（マルチユーザスケジューリング）がある。各端末はＲＢ（Resource Block）毎のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。【０００５】
基地局は、より高いＣＱＩをフィードバックした端末に優先的に通信リソースを割り当てる。このため、端末数が増大するほど、高いＣＱＩをフィードバックする端末数が増大するので、セルスループット（ピークデータレート、周波数利用効率）が改善することになる。ＣＱＩフィードバック方法には、Ｂｅｓｔ−Ｍ報告及びＤＣＴ（Discrete Cosine Transform）報告がある。【０００６】
図２にＢｅｓｔ−Ｍ報告の概要を示す。Ｂｅｓｔ−Ｍ報告では、送信帯域全体（ＮＲＢ個のリソースブロックから構成）の平均ＣＱＩ（Ｘビットで表現）、ＣＱＩレベルの高い上位Ｍ個のＲＢを選択し、選択したＲＢに対応するＣＱＩ（各ＲＢのＣＱＩをＹビットで表現）及び選択したＲＢの位置（ｌｏｇ２（ＮＲＢＣＭ）ビットで表現）をフィードバックする。これにより、合計Ｘ＋ＹＭ＋ｌｏｇ２（ＮＲＢＣＭ）ビットをフィードバックする。なお、上位Ｍ個のＣＱＩは平均ＣＱＩからの差分値をＹビットの量子化ビット数で表現する。【０００７】
図３にＢｅｓｔ−Ｍ報告によるＣＱＩフィードバックフォーマットを示す。ここでは、Ｘ＝５ビット、Ｙ＝３ビット、Ｍ＝５の場合を示している。基地局は、Ｂｅｓｔ−Ｍ報告によるフィードバック情報を復調し、ＲＢ毎のＣＱＩを再生する。【０００８】
図４にＤＣＴ報告の概要を示す。ＤＣＴ報告では、ＲＢ毎のＳＩＮＲをＤＣＴ変換した結果の中から、直流（ＤＣ）成分（Ｘビットで表現）、ＤＣ成分を除いた周波数成分の低いＭ個の周波数成分（周波数当たりＹビットで表現）をフィードバックする。これにより、合計Ｘ＋ＭＹビットをフィードバックする。なお、ＤＣＴ報告では、周波数が低い方から順にＭ個の周波数成分をフィードバックするため、Ｂｅｓｔ−Ｍ報告のようにＲＢに関する位置情報をフィードバックする必要はない。【０００９】
図５にＤＣＴ報告によるＣＱＩフィードバックフォーマットを示す。ここでは、Ｘ＝５ビット、Ｙ＝５ビット、Ｍ＝４の場合を示している。基地局は、ＤＣＴ報告によるフィードバック情報をＩＤＣＴ（Inverse Discrete Cosine Transform）変換し、ＲＢ毎のＳＩＮＲを再生する。【００１０】
ここで、上述したＭＩＭＯ通信においては、ＣＱＩをフィードバックする場合、品質の指標として第ｋストリームのＳＩＮＲｋを利用し、Ｂｅｓｔ−Ｍ報告の場合にはストリーム毎にＳＩＮＲをＣＱＩ変換し、ＤＣＴ報告の場合にはストリーム毎にＳＩＮＲをＤＣＴ変換する。また、上述した固有モード送信においては、ＣＱＩをフィードバックする場合、品質の指標としてＳＩＮＲｋの代わりに固有値λｋを利用し、Ｂｅｓｔ−Ｍ報告の場合には固有値λｋをＣＱＩ変換し、ＤＣＴ報告の場合には固有値λｋをＤＣＴ変換する。
【先行技術文献】
【非特許文献】
【００１１】
【非特許文献１】3GPP, R1-062954, LG Electronics, “Analysis on DCT based CQI reporting Scheme”, RAN1#46-bis, Seoul, October 9-13, 2006
【発明の概要】
【発明が解決しようとする課題】
【００１２】
固有モード送信では、品質の指標として固有値を利用する。この固有値の周波数変動はストリーム毎に異なるため、各ストリームのＣＱＩの量子化ビット数を最適化することを考え、各ストリームのＣＱＩは異なる量子化ビット数で量子化される。すなわち、ストリーム毎に異なるＣＱＩフォーマットとなる。この場合、図６に示すように、各ストリームのＣＱＩフォーマットを通知するためのインジケータ（ＣＱＩフォーマットインジケータ）が必要となり、ＣＱＩフィードバック量が増大するという問題がある。【００１３】
本発明の目的は、ＭＩＭＯチャネルにおけるＣＱＩフィードバック量を削減する無線受信装置、無線送信装置及びフィードバック方法を提供することである。
【課題を解決するための手段】
【００１４】
本発明の無線受信装置は、複数のアンテナから送信された信号を複数のアンテナを介して受信する受信手段と、受信した前記信号のうちパイロット信号を用いて、送信アンテナ及び受信アンテナ間のチャネル行列を推定し、推定したチャネル行列を固有値分解して固有値を求めるチャネル推定手段と、前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成手段と、前記フィードバック情報を送信する送信手段と、を具備する構成を採る。【００１５】
本発明の無線送信装置は、各ストリームの平均固有値に相当する品質指標を含むフィードバック情報を受信する受信手段と、前記品質指標のストリーム間の差分を求め、前記差分に応じた量子化ビット数に基づいて、フィードバック情報を復調するフィードバック情報復調手段と、を具備する構成を採る。【００１６】
本発明のフィードバック方法は、複数の送信アンテナ及び複数の受信アンテナ間のチャネル行列を推定し、推定したチャネル行列を固有値分解して固有値を求めるチャネル推定工程と、受信した前記信号のうちパイロット信号を用いて、送信アンテナ及び受信アンテナ間のチャネル行列を推定し、推定したチャネル行列を固有値分解して固有値を求めるチャネル推定工程と、前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成工程と、前記フィードバック情報を送信する送信工程と、を具備するようにした。
【発明の効果】
【００１７】
本発明によれば、ＭＩＭＯチャネルにおけるＣＱＩフィードバック量を削減することができる。
【図面の簡単な説明】
【００１８】
【図１】固有モード送信を示す概念図
【図２】Ｂｅｓｔ−Ｍ報告の概要を示す図
【図３】Ｂｅｓｔ−Ｍ報告によるＣＱＩフィードバックフォーマットを示す図
【図４】ＤＣＴ報告の概要を示す図
【図５】ＤＣＴ報告によるＣＱＩフィードバックフォーマットを示す図
【図６】ストリーム毎にＣＱＩフォーマットインジケータを必要とする様子を示す図
【図７】本発明の実施の形態１に係る受信装置の構成を示すブロック図
【図８】第１〜第４ストリームの固有値をＣＱＩ変換する様子を示す図
【図９】本発明の実施の形態１に係るＣＱＩフィードバックテーブルを示す図
【図１０】周波数領域における固有値の変動の様子を示す図
【図１１】本発明の実施の形態１に係るＣＱＩフィードバックフォーマットを示す図
【図１２】本発明の実施の形態１に係る送信装置の構成を示すブロック図
【図１３】第１〜第４ストリームの固有値をＤＣＴ変換する様子を示す図
【図１４】本発明の実施の形態２に係るＣＱＩフィードバックテーブルを示す図
【図１５】本発明の実施の形態２に係るＣＱＩフィードバックフォーマットを示す図
【発明を実施するための形態】
【００１９】
以下、本発明の実施の形態について、図面を参照して詳細に説明する。
【００２０】
（実施の形態１）
図７は、本発明の実施の形態１に係る受信装置の構成を示すブロック図である。ここでは、アンテナを４本として説明する。無線受信部１０２−１〜１０２−４は、対応するアンテナ１０１−１〜１０１−４を介して受信した信号をベースバンド信号にダウンコンバートし、受信信号のうちデータ信号をＭＩＭＯ復調部１０６に出力し、受信信号のうちパイロット信号をチャネル推定部１０３に出力する。
【００２１】
チャネル推定部１０３は、無線受信部１０２−１〜１０２−４から出力されたパイロット信号を用いて、各送受信アンテナ間のＲＢ毎のチャネル行列を推定し、推定したチャネル行列を固有値分解して固有値と固有ベクトルを求める。求めた固有ベクトルは、送信ウェイトとしてフィードバック情報生成部１０４に出力され、固有ベクトルにチャネル行列を乗算した値は、受信ウェイトとしてＭＩＭＯ復調部１０６に出力される。なお、チャネル行列とは、送信アンテナ及び受信アンテナ間のチャネル利得を表現する行列である。
【００２２】
フィードバック情報生成部１０４は、チャネル推定部１０３から出力された固有値をＲＢ毎に平均し、平均した固有値を固有値番号（ストリーム）毎にＣＱＩに変換する。フィードバック情報生成部１０４は、固有値番号毎に決められた量子化ビット数でＣＱＩフィードバック情報を生成し、無線送信部１０５に出力する。なお、フィードバック情報生成部１０４の詳細については後述する。
【００２３】
無線送信部１０５は、フィードバック情報生成部１０４から出力されたフィードバック情報をアップコンバートし、アンテナ１０１−１〜１０１−４から送信する。
【００２４】
ＭＩＭＯ復調部１０６は、無線受信部１０２−１〜１０２−４から出力されたデータ信号にチャネル推定部１０３から出力された受信ウェイトを乗算して、ストリームを分離する。分離したストリームはそれぞれデータ復調部１０７−１〜１０７−４に出力される。
【００２５】
データ復調部１０７−１〜１０７−４は、ＭＩＭＯ復調部１０６から出力されたストリームを変調シンボルから軟判定ビットに変換し、データ復号部１０８−１〜１０８−４に出力する。データ復号部１０８−１〜１０８−４は、データ復調部１０７−１〜１０７−４から出力された軟判定ビットをチャネル復号し、送信データを復元する。
【００２６】
次に、上述したフィードバック情報生成部１０４におけるフィードバック情報の生成について詳細に説明する。フィードバック情報生成部１０４は、図８に示すように、ＲＢ毎に平均した固有値を固有値番号（ストリーム）毎にＣＱＩに変換し、第ｋストリームの送信帯域全体の平均ＣＱＩを求める。また、フィードバック情報生成部１０４は、ＣＱＩが大きい上位Ｍ個のＲＢをストリーム毎に選択する。
【００２７】
一方、フィードバック情報生成部１０４は、第１ストリームの平均ＣＱＩ（Ｗ−ＣＱＩ１）と第ｋストリーム（ｋは２以上）の平均ＣＱＩ（Ｗ−ＣＱＩｋ）との差分である相対値Ｄｋを算出し、算出した相対値Ｄｋを量子化ビットの選択指標とする。すなわち、相対値Ｄｋによって、各ストリームのＣＱＩに割り当てる量子化ビット数を決定する。例えば、フィードバック情報生成部１０４が図９に示すようなフィードバックテーブルを備えているものとする。図中、Ｔ１＜Ｔ２＜Ｔ３とし、ＣＱＩ１〜５は、Ｍ＝５としたときの上位ＣＱＩを示し、Ｙ１１〜Ｙ４５は各ＣＱＩの量子化ビット数を示している。また、ＣＱＩｊ（１≦ｊ≦５）の量子化ビット数Ｙｉｊには、Ｙ１ｊ≧Ｙ２ｊ≧Ｙ３ｊ≧Ｙ４ｊの関係がある。これは、相対値Ｄｋが大きい場合、第２ストリーム以降の固有値が小さくなるため、量子化ビット数を少なくしても量子化ビットの精度を維持できるからである。
【００２８】
ここで、相対値ＤｋがＴ１以上Ｔ２未満であったとすると、第ｋストリームにおける上位Ｍ個のＣＱＩの量子化ビット数はＹ２１〜Ｙ２５ビットとなる。なお、各ストリームの平均ＣＱＩ及び第１ストリームのＣＱＩ１〜５は、相対値に関係なく、一定の量子化ビット数で量子化する。
【００２９】
図９に示したフィードバックテーブルは、次のような周波数領域の固有値の特徴によって決定される。すなわち、図１０Ａに示すように、チャネル相関が低い場合、各平均固有値の差は小さくなり、各ストリームは同じような周波数変動となる。また、図１０Ｂに示すように、チャネル相関が高い場合、第１ストリームの固有値と第２ストリーム以降の固有値との差が大きくなる。また、第１ストリームの固有値の周波数変動は緩慢になり、第２ストリーム以降の固有値の周波数変動は激しくなる。
【００３０】
これらのことから、チャネル相関が低い場合とチャネル相関が高い場合とでは、第１ストリームの平均固有値に対する第２ストリーム以降の平均固有値との関係が異なる。このため、これらの場合では、第２ストリーム以降の固有値を表現する最適な量子化ビット数が異なる。
【００３１】
このように、相対値Ｄｋを求め、求めた相対値Ｄｋに対応するＣＱＩ量子化ビット数に基づいて、ＣＱＩフィードバック情報を生成する。図１１にＣＱＩフィードバックフォーマットを示す。図１１Ａは、相対値Ｄｋが小さい場合のＣＱＩフィードバックフォーマットを示し、図１１Ｂは、相対値Ｄｋが大きい場合のＣＱＩフィードバックフォーマットを示している。本実施の形態では、平均ＣＱＩの相対値ＤｋからＣＱＩフィードバックフォーマットを決定するため、ＣＱＩフォーマットインジケータは不要となる。また、平均ＣＱＩの量子化ビット数はストリーム番号に関係なく一定であり、第２ストリーム以降のストリームでは、平均ＣＱＩ以外のＣＱＩの量子化ビット数が可変となる。
【００３２】
従って、送信装置も相対値Ｄｋに基づいて、平均ＣＱＩ以外のＣＱＩ（ＣＱＩ１〜５）の量子化ビット数を決定するためには、平均ＣＱＩの量子化ビットの配置位置を送受信装置間で共有する必要がある。本実施の形態では、各ストリームの平均ＣＱＩの量子化ビットをＣＱＩフィードバックフォーマットの先頭にまとめて配置している。すなわち、量子化ビット数が変化しない平均ＣＱＩを先頭に配置し、量子化ビット数が可変となる第２ストリーム以降のＣＱＩ１〜５を平均ＣＱＩの後に配置している。
【００３３】
図１２は、本発明の実施の形態１に係る送信装置の構成を示すブロック図である。ここでは、アンテナを４本として説明する。無線受信部２０２は、受信装置からフィードバックされたフィードバック情報をアンテナ２０１−１〜２０１−４を介して受信し、受信したフィードバック情報をベースバンド信号にダウンコンバートし、フィードバック情報復調部２０３に出力する。
【００３４】
フィードバック情報復調部２０３は、図９に示した受信装置のフィードバック情報生成部１０４が備えるＣＱＩフィードバックテーブルと同じＣＱＩフィードバックテーブルを備え、無線受信部２０２から出力されたフィードバック情報をＣＱＩフィードバックテーブルに基づいて復調し、送信ウェイトとＣＱＩ（チャネル符号化率及び変調レベル）を取得する。取得した送信ウェイトはＭＩＭＯ多重部２０６に出力され、チャネル符号化率は符号化部２０４−１〜２０４−４に出力され、変調レベルは変調部２０５−１〜２０５−４に出力される。なお、フィードバック情報復調部２０３の詳細については後述する。
【００３５】
符号化部２０４−１〜２０４−４は、入力される各送信データをフィードバック情報復調部２０３から出力されたチャネル符号化率で符号化し、符号化データを変調部２０５−１〜２０５−４に出力する。変調部２０５−１〜２０５−４は、符号化部２０４−１〜２０４−４から出力された符号化データをフィードバック情報復調部２０３から出力された変調レベルで変調し、変調シンボルをＭＩＭＯ多重部２０６に出力する。
【００３６】
ＭＩＭＯ多重部２０６は、変調部２０５−１〜２０５−４から出力された変調シンボルにフィードバック情報復調部２０３から出力された送信ウェイトを乗算し、送信ストリームに変換する。ＭＩＭＯ多重部２０６は、全ての送信ストリームを多重し、無線送信部２０７−１〜２０７−４に出力する。
【００３７】
無線送信部２０７−１〜２０７−４は、ＭＩＭＯ多重部２０６から出力された送信ストリームをアップコンバートし、アンテナ２０１−１〜２０１−４から送信する。
【００３８】
次に、上述したフィードバック情報復調部２０３におけるフィードバック情報の復調について詳細に説明する。フィードバック情報復調部２０３は、ＣＱＩフィードバックフォーマットの先頭に配置されている各ストリームの平均ＣＱＩを復調する。これらの平均ＣＱＩは一定の量子化ビット数であることが予め決められている。フィードバック情報復調部２０３は、復調した平均ＣＱＩを用いて相対値Ｄｋを求める。具体的には、受信装置における処理と同様、第１ストリームの平均ＣＱＩ（Ｗ−ＣＱＩ１）と第ｋストリームの平均ＣＱＩ（Ｗ−ＣＱＩｋ）との差分（相対値Ｄｋ）を求める。フィードバック情報復調部２０３は、求めた相対値Ｄｋに対応する各ストリームのＣＱＩの量子化ビット数を図９に示したＣＱＩフィードバックテーブルから求め、求めたＣＱＩの量子化ビット数に基づいて、ＣＱＩを復調する。
【００３９】
このように実施の形態１によれば、Ｂｅｓｔ−Ｍ報告に基づくＣＱＩフィードバックを行う場合において、各ストリームの平均ＣＱＩの相対値と各ストリームにおける上位Ｍ個のＣＱＩの量子化ビット数とを対応付け、各ストリームの平均ＣＱＩと上位Ｍ個のＣＱＩとを含むＣＱＩフィードバック情報を生成することにより、ＣＱＩフォーマットインジケータに用いるビット数を削減し、ＣＱＩフィードバック量を削減することができる。
【００４０】
（実施の形態２）
実施の形態１では、Ｂｅｓｔ−Ｍ報告に基づくＣＱＩフィードバックを行う場合について説明したが、本発明の実施の形態２では、ＤＣＴ報告に基づくＣＱＩフィードバックを行う場合について説明する。ただし、本発明の実施の形態２に係る受信装置及び送信装置の構成は、一部の機能が異なるのみで実施の形態１の図７及び図１２に示した構成と同様であるので、図７及び図１２を援用し、異なる機能について説明する。
【００４１】
本発明の実施の形態２に係るフィードバック情報生成部１０４は、チャネル推定部１０３から出力された固有値をＲＢ毎に平均し、図１３に示すように、ＲＢ毎に平均した固有値を固有値番号（ストリーム）毎にＤＣＴ変換する。フィードバック情報生成部１０４は、ＤＣＴ出力のうちＤＣ成分と、ＤＣ成分を除く下位Ｍ個の周波数成分をフィードバックする周波数成分として選択し、固有値番号毎に決められた量子化ビット数でＣＱＩフィードバック情報を生成して無線送信部１０５に出力する。
【００４２】
具体的には、フィードバック情報生成部１０４は、第１ストリームのＤＣ成分（ＤＣ１）と第ｋストリーム（ｋは２以上）のＤＣ成分（ＤＣｋ）との差分である相対値Ｄｋを算出し、算出した相対値Ｄｋを量子化ビットの選択指標とする。すなわち、相対値Ｄｋによって、各ストリームの周波数成分に割り当てる量子化ビット数を決定する。例えば、フィードバック情報生成部１０４が図１４に示すようなフィードバックテーブルを備えているものとする。図中、Ｔ１＜Ｔ２＜Ｔ３とし、周波数１〜４は、Ｍ＝４としたときの下位周波数成分を示し、Ｙ１１〜Ｙ４４は各周波数成分の量子化ビット数を示している。また、周波数成分ｊ（１≦ｊ≦４）の量子化ビット数Ｙｉｊには、Ｙ１ｊ≧Ｙ２ｊ≧Ｙ３ｊ≧Ｙ４ｊの関係がある。ここで、相対値ＤｋがＴ１以上Ｔ２未満であったとすると、第ｋストリームにおける下位Ｍ個の周波数成分の量子化ビット数はＹ２１〜Ｙ２４ビットとなる。なお、各ストリームのＤＣ成分及び第１ストリームの周波数１〜４は、相対値に関係なく、一定の量子化ビット数で量子化する。
【００４３】
このように、相対値Ｄｋを求め、求めた相対値Ｄｋに対応する周波数成分量子化ビット数に基づいて、ＣＱＩフィードバック情報を生成する。図１５にＣＱＩフィードバックフォーマットを示す。図１５Ａは、相対値Ｄｋが小さい場合のＣＱＩフィードバックフォーマットを示し、図１５Ｂは、相対値Ｄｋが大きい場合のＣＱＩフィードバックフォーマットを示している。本実施の形態では、ＤＣ成分の相対値ＤｋからＣＱＩフィードバックフォーマットを決定するため、ＣＱＩフォーマットインジケータは不要となる。また、ＤＣ成分の量子化ビット数はストリーム番号に関係なく一定であり、第２ストリーム以降のストリームでは、ＤＣ成分以外の低周波数成分の量子化ビット数が可変となる。
【００４４】
従って、送信装置も相対値Ｄｋに基づいて、ＤＣ成分以外の周波数成分の量子化ビット数を決定するためには、ＤＣ成分の量子化ビットの配置位置を送受信装置間で共有する必要がある。本実施の形態では、各ストリームのＤＣ成分の量子化ビットをＣＱＩフィードバックフォーマットの先頭にまとめて配置している。すなわち、量子化ビット数が変化しないＤＣ成分を先頭に配置し、量子化ビット数が可変となる第２ストリーム以降の周波数１〜４をＤＣ成分の後に配置している。
【００４５】
本発明の実施の形態２に係るフィードバック情報復調部２０３は、図１４に示した受信装置のフィードバック情報生成部１０４が備えるＣＱＩフィードバックテーブルと同じＣＱＩフィードバックテーブルを備え、無線受信部２０２から出力されたフィードバック情報をＣＱＩフィードバックテーブルに基づいて復調し、送信ウェイトと固有値（チャネル符号化率及び変調レベル）を取得する。取得した送信ウェイトはＭＩＭＯ多重部２０６に出力され、チャネル符号化率は符号化部２０４−１〜２０４−４に出力され、変調レベルは変調部２０５−１〜２０５−４に出力される。
【００４６】
具体的には、フィードバック情報復調部２０３は、ＣＱＩフィードバックフォーマットの先頭に配置されている各ストリームのＤＣ成分（ＤＣｋ）を復調する。これらのＤＣ成分は一定の量子化ビット数であることが予め決められている。フィードバック情報復調部２０３は、復調したＤＣ成分を用いて相対値Ｄｋを求める。すなわち、受信装置における処理と同様、第１ストリームのＤＣ成分（ＤＣ１）と第ｋストリームのＤＣ成分（ＤＣｋ）との差分（相対値Ｄｋ）を求める。フィードバック情報復調部２０３は、求めた相対値Ｄｋに対応する各ストリームの周波数成分の量子化ビット数を図１４に示したＣＱＩフィードバックテーブルから求め、求めた周波数成分の量子化ビット数に基づいて、ＤＣ成分とＭ個の周波数成分とをＩＤＣＴ変換してＲＢ毎の固有値を求める。求めた固有値からチャネル符号化率及び変調レベルが決定され、チャネル符号化率が符号化部２０４−１〜２０４−４に出力され、変調レベルが変調部２０５−１〜２０５−４に出力される。
【００４７】
このように実施の形態２によれば、ＤＣＴ報告に基づくＣＱＩフィードバックを行う場合において、各ストリームのＤＣ成分の相対値と各ストリームにおける下位Ｍ個の周波数成分の量子化ビット数とを対応付け、各ストリームのＤＣ成分と下位Ｍ個の周波数成分とを含むＣＱＩフィードバック情報を生成することにより、ＣＱＩフォーマットインジケータに用いるビット数を削減し、ＣＱＩフィードバック量を削減することができる。
【００４８】
上記各実施の形態では、本発明をハードウェアで構成する場合を例にとって説明したが、本発明はソフトウェアで実現することも可能である。
【００４９】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００５１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００５２】
２００８年４月９日出願の特願２００８−１０１１７６の日本出願に含まれる明細書、図面及び要約書の開示内容は、すべて本願に援用される。
【産業上の利用可能性】
【００５３】
本発明にかかる無線受信装置、無線送信装置及びフィードバック方法は、ＭＩＭＯチャネルにおけるＣＱＩフィードバック量を削減することができ、例えば、移動通信システム等に適用できる。
【図１】
2009125591.tif 000004
【図２】
2009125591.tif 000005
【図３】
2009125591.tif 000006
【図４】
2009125591.tif 000007
【図５】
2009125591.tif 000008
【図６】
2009125591.tif 000009
【図７】
2009125591.tif 000010
【図８】
2009125591.tif 000011
【図９】
2009125591.tif 000012
【図１０】
2009125591.tif 000013
【図１１】
2009125591.tif 000014
【図１２】
2009125591.tif 000015
【図１３】
2009125591.tif 000016
【図１４】
2009125591.tif 000017
【図１５】
2009125591.tif 000018
【手続補正書】
【提出日】平成22年8月11日(2010.8.11)
【手続補正１】
【補正対象書類名】明細書
【補正対象項目名】全文
【補正方法】変更
【補正の内容】
【発明の詳細な説明】
【技術分野】
【０００１】
本発明は、無線受信装置、無線送信装置及びフィードバック方法に関する。
【背景技術】
【０００２】
ＭＩＭＯ（Multiple-Input Multiple-Output）は、送信装置及び受信装置の双方がそれぞれ複数のアンテナを備え、高速かつ大容量な情報伝送を行う技術である。具体的には、複数のデータを同じ時間に同じ周波数を用いて伝送することができるので、高い伝送速度を実現することができる。
【０００３】
このＭＩＭＯ伝送方式には、固有モード送信と呼ばれる伝送方式が知られている。固有モード送信では、送受信装置間の伝搬路情報をチャネル推定により求め、求めた伝搬路情報（伝搬チャネル行列Ｈ）の相関行列ＨＨＨを固有値分解して、固有値行列Λと固有ベクトルＷを求める。この様子を式（１）に示す。そして、ＷＨＨを送信ウェイト、ＷＨを受信ウェイトとして利用することにより、固有値数分の並列伝送が可能になる。固有モード送信の概念図を図１に示す。
【数１】
2009125591.tif 000019
ここで、λｋは第ｋ固有値であり、λ１＞λ２＞λ３＞λ４という関係がある。第ｋストリームｓｋには送信ウェイトｗｋが割り当てられ、第ｋ固有値λｋのチャネルを使って送信する。そのため、固有値番号（ストリーム番号）ｋが小さいほど、高品質伝送を実現することができる。
【０００４】
ところで、３ＧＰＰ（3rd Generation Partnership Project） ＬＴＥ（Long Term Evolution）の下りリンクにおけるセルスループットを改善する技術として、周波数スケジューリング（マルチユーザスケジューリング）がある。各端末はＲＢ（Resource Block）毎のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。
【０００５】
基地局は、より高いＣＱＩをフィードバックした端末に優先的に通信リソースを割り当てる。このため、端末数が増大するほど、高いＣＱＩをフィードバックする端末数が増大するので、セルスループット（ピークデータレート、周波数利用効率）が改善することになる。ＣＱＩフィードバック方法には、Ｂｅｓｔ−Ｍ報告及びＤＣＴ（Discrete Cosine Transform）報告がある。
【０００６】
図２にＢｅｓｔ−Ｍ報告の概要を示す。Ｂｅｓｔ−Ｍ報告では、送信帯域全体（ＮＲＢ個のリソースブロックから構成）の平均ＣＱＩ（Ｘビットで表現）、ＣＱＩレベルの高い上位Ｍ個のＲＢを選択し、選択したＲＢに対応するＣＱＩ（各ＲＢのＣＱＩをＹビットで表現）及び選択したＲＢの位置（ｌｏｇ２（ＮＲＢＣＭ）ビットで表現）をフィードバッ
クする。これにより、合計Ｘ＋ＹＭ＋ｌｏｇ２（ＮＲＢＣＭ）ビットをフィードバックする。なお、上位Ｍ個のＣＱＩは平均ＣＱＩからの差分値をＹビットの量子化ビット数で表現する。
【０００７】
図３にＢｅｓｔ−Ｍ報告によるＣＱＩフィードバックフォーマットを示す。ここでは、Ｘ＝５ビット、Ｙ＝３ビット、Ｍ＝５の場合を示している。基地局は、Ｂｅｓｔ−Ｍ報告によるフィードバック情報を復調し、ＲＢ毎のＣＱＩを再生する。
【０００８】
図４にＤＣＴ報告の概要を示す。ＤＣＴ報告では、ＲＢ毎のＳＩＮＲをＤＣＴ変換した結果の中から、直流（ＤＣ）成分（Ｘビットで表現）、ＤＣ成分を除いた周波数成分の低いＭ個の周波数成分（周波数当たりＹビットで表現）をフィードバックする。これにより、合計Ｘ＋ＭＹビットをフィードバックする。なお、ＤＣＴ報告では、周波数が低い方から順にＭ個の周波数成分をフィードバックするため、Ｂｅｓｔ−Ｍ報告のようにＲＢに関する位置情報をフィードバックする必要はない。
【０００９】
図５にＤＣＴ報告によるＣＱＩフィードバックフォーマットを示す。ここでは、Ｘ＝５ビット、Ｙ＝５ビット、Ｍ＝４の場合を示している。基地局は、ＤＣＴ報告によるフィードバック情報をＩＤＣＴ（Inverse Discrete Cosine Transform）変換し、ＲＢ毎のＳＩＮＲを再生する。
【００１０】
ここで、上述したＭＩＭＯ通信においては、ＣＱＩをフィードバックする場合、品質の指標として第ｋストリームのＳＩＮＲｋを利用し、Ｂｅｓｔ−Ｍ報告の場合にはストリーム毎にＳＩＮＲをＣＱＩ変換し、ＤＣＴ報告の場合にはストリーム毎にＳＩＮＲをＤＣＴ変換する。また、上述した固有モード送信においては、ＣＱＩをフィードバックする場合、品質の指標としてＳＩＮＲｋの代わりに固有値λｋを利用し、Ｂｅｓｔ−Ｍ報告の場合には固有値λｋをＣＱＩ変換し、ＤＣＴ報告の場合には固有値λｋをＤＣＴ変換する。
【先行技術文献】
【非特許文献】
【００１１】
【非特許文献１】3GPP, R1-062954, LG Electronics, “Analysis on DCT based CQI reporting Scheme”, RAN1#46-bis, Seoul, October 9-13, 2006
【発明の概要】
【発明が解決しようとする課題】
【００１２】
固有モード送信では、品質の指標として固有値を利用する。この固有値の周波数変動はストリーム毎に異なるため、各ストリームのＣＱＩの量子化ビット数を最適化することを考え、各ストリームのＣＱＩは異なる量子化ビット数で量子化される。すなわち、ストリーム毎に異なるＣＱＩフォーマットとなる。この場合、図６に示すように、各ストリームのＣＱＩフォーマットを通知するためのインジケータ（ＣＱＩフォーマットインジケータ）が必要となり、ＣＱＩフィードバック量が増大するという問題がある。
【００１３】
本発明の目的は、ＭＩＭＯチャネルにおけるＣＱＩフィードバック量を削減する無線受信装置、無線送信装置及びフィードバック方法を提供することである。
【課題を解決するための手段】
【００１４】
本発明の無線受信装置は、複数のアンテナから送信された信号を複数のアンテナを介して受信する受信手段と、受信した前記信号のうちパイロット信号を用いて、送信アンテナ及び受信アンテナ間のチャネル行列を推定し、推定したチャネル行列を固有値分解して固有値を求めるチャネル推定手段と、前記固有値に基づいて、各ストリームの平均固有値に相当する品質指標のストリーム間の差分を求め、前記差分に応じた量子化ビット数を決定
し、前記固有値の変動の度合いを表すＭ個の品質指標を、決定した前記量子化ビット数で量子化してフィードバック情報を生成するフィードバック情報生成手段と、前記フィードバック情報を送信する送信手段と、を具備する構成を採る。
【００１５】
本発明の無線送信装置は、各ストリームの平均固有値に相当する品質指標を含むフィードバック情報を受信する受信手段と、前記品質指標のストリーム間の差分を求め、前記差分に応じた量子化ビット数に基づいて、フィードバック情報を復調するフィードバック情報復調手段と、を具備する構成を採る。
【００１６】
本発明のフィードバック方法は、複数の送信アンテナ及び複数の受信アンテナ間のチャネル行列を推定し、推定したチャネル行列を固有値分解して固有値を求めるチャネル推定工程と、受信した前記信号のうちパイロット信号を用いて、送信アンテナ及び受信アンテナ間のチャネル行列を推定し、推定したチャネル行列を固有値分解して固有値を求めるチャネル推定工程と、前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成工程と、前記フィードバック情報を送信する送信工程と、を具備するようにした。
【発明の効果】
【００１７】
本発明によれば、ＭＩＭＯチャネルにおけるＣＱＩフィードバック量を削減することができる。
【図面の簡単な説明】
【００１８】
【図１】固有モード送信を示す概念図
【図２】Ｂｅｓｔ−Ｍ報告の概要を示す図
【図３】Ｂｅｓｔ−Ｍ報告によるＣＱＩフィードバックフォーマットを示す図
【図４】ＤＣＴ報告の概要を示す図
【図５】ＤＣＴ報告によるＣＱＩフィードバックフォーマットを示す図
【図６】ストリーム毎にＣＱＩフォーマットインジケータを必要とする様子を示す図
【図７】本発明の実施の形態１に係る受信装置の構成を示すブロック図
【図８】第１〜第４ストリームの固有値をＣＱＩ変換する様子を示す図
【図９】本発明の実施の形態１に係るＣＱＩフィードバックテーブルを示す図
【図１０】周波数領域における固有値の変動の様子を示す図
【図１１】本発明の実施の形態１に係るＣＱＩフィードバックフォーマットを示す図
【図１２】本発明の実施の形態１に係る送信装置の構成を示すブロック図
【図１３】第１〜第４ストリームの固有値をＤＣＴ変換する様子を示す図
【図１４】本発明の実施の形態２に係るＣＱＩフィードバックテーブルを示す図
【図１５】本発明の実施の形態２に係るＣＱＩフィードバックフォーマットを示す図
【発明を実施するための形態】
【００１９】
以下、本発明の実施の形態について、図面を参照して詳細に説明する。
【００２０】
（実施の形態１）
図７は、本発明の実施の形態１に係る受信装置の構成を示すブロック図である。ここでは、アンテナを４本として説明する。無線受信部１０２−１〜１０２−４は、対応するアンテナ１０１−１〜１０１−４を介して受信した信号をベースバンド信号にダウンコンバートし、受信信号のうちデータ信号をＭＩＭＯ復調部１０６に出力し、受信信号のうちパイロット信号をチャネル推定部１０３に出力する。
【００２１】
チャネル推定部１０３は、無線受信部１０２−１〜１０２−４から出力されたパイロット信号を用いて、各送受信アンテナ間のＲＢ毎のチャネル行列を推定し、推定したチャネル行列を固有値分解して固有値と固有ベクトルを求める。求めた固有ベクトルは、送信ウェイトとしてフィードバック情報生成部１０４に出力され、固有ベクトルにチャネル行列を乗算した値は、受信ウェイトとしてＭＩＭＯ復調部１０６に出力される。なお、チャネル行列とは、送信アンテナ及び受信アンテナ間のチャネル利得を表現する行列である。
【００２２】
フィードバック情報生成部１０４は、チャネル推定部１０３から出力された固有値をＲＢ毎に平均し、平均した固有値を固有値番号（ストリーム）毎にＣＱＩに変換する。フィードバック情報生成部１０４は、固有値番号毎に決められた量子化ビット数でＣＱＩフィードバック情報を生成し、無線送信部１０５に出力する。なお、フィードバック情報生成部１０４の詳細については後述する。
【００２３】
無線送信部１０５は、フィードバック情報生成部１０４から出力されたフィードバック情報をアップコンバートし、アンテナ１０１−１〜１０１−４から送信する。
【００２４】
ＭＩＭＯ復調部１０６は、無線受信部１０２−１〜１０２−４から出力されたデータ信号にチャネル推定部１０３から出力された受信ウェイトを乗算して、ストリームを分離する。分離したストリームはそれぞれデータ復調部１０７−１〜１０７−４に出力される。
【００２５】
データ復調部１０７−１〜１０７−４は、ＭＩＭＯ復調部１０６から出力されたストリームを変調シンボルから軟判定ビットに変換し、データ復号部１０８−１〜１０８−４に出力する。データ復号部１０８−１〜１０８−４は、データ復調部１０７−１〜１０７−４から出力された軟判定ビットをチャネル復号し、送信データを復元する。
【００２６】
次に、上述したフィードバック情報生成部１０４におけるフィードバック情報の生成について詳細に説明する。フィードバック情報生成部１０４は、図８に示すように、ＲＢ毎に平均した固有値を固有値番号（ストリーム）毎にＣＱＩに変換し、第ｋストリームの送信帯域全体の平均ＣＱＩを求める。また、フィードバック情報生成部１０４は、ＣＱＩが大きい上位Ｍ個のＲＢをストリーム毎に選択する。
【００２７】
一方、フィードバック情報生成部１０４は、第１ストリームの平均ＣＱＩ（Ｗ−ＣＱＩ１）と第ｋストリーム（ｋは２以上）の平均ＣＱＩ（Ｗ−ＣＱＩｋ）との差分である相対値Ｄｋを算出し、算出した相対値Ｄｋを量子化ビットの選択指標とする。すなわち、相対値Ｄｋによって、各ストリームのＣＱＩに割り当てる量子化ビット数を決定する。例えば、フィードバック情報生成部１０４が図９に示すようなフィードバックテーブルを備えているものとする。図中、Ｔ１＜Ｔ２＜Ｔ３とし、ＣＱＩ１〜５は、Ｍ＝５としたときの上位ＣＱＩを示し、Ｙ１１〜Ｙ４５は各ＣＱＩの量子化ビット数を示している。また、ＣＱＩｊ（１≦ｊ≦５）の量子化ビット数Ｙｉｊには、Ｙ１ｊ≧Ｙ２ｊ≧Ｙ３ｊ≧Ｙ４ｊの関係がある。これは、相対値Ｄｋが大きい場合、第２ストリーム以降の固有値が小さくなるため、量子化ビット数を少なくしても量子化ビットの精度を維持できるからである。
【００２８】
ここで、相対値ＤｋがＴ１以上Ｔ２未満であったとすると、第ｋストリームにおける上位Ｍ個のＣＱＩの量子化ビット数はＹ２１〜Ｙ２５ビットとなる。なお、各ストリームの平均ＣＱＩ及び第１ストリームのＣＱＩ１〜５は、相対値に関係なく、一定の量子化ビット数で量子化する。
【００２９】
図９に示したフィードバックテーブルは、次のような周波数領域の固有値の特徴によって決定される。すなわち、図１０Ａに示すように、チャネル相関が低い場合、各平均固有値の差は小さくなり、各ストリームは同じような周波数変動となる。また、図１０Ｂに示
すように、チャネル相関が高い場合、第１ストリームの固有値と第２ストリーム以降の固有値との差が大きくなる。また、第１ストリームの固有値の周波数変動は緩慢になり、第２ストリーム以降の固有値の周波数変動は激しくなる。
【００３０】
これらのことから、チャネル相関が低い場合とチャネル相関が高い場合とでは、第１ストリームの平均固有値に対する第２ストリーム以降の平均固有値との関係が異なる。このため、これらの場合では、第２ストリーム以降の固有値を表現する最適な量子化ビット数が異なる。
【００３１】
このように、相対値Ｄｋを求め、求めた相対値Ｄｋに対応するＣＱＩ量子化ビット数に基づいて、ＣＱＩフィードバック情報を生成する。図１１にＣＱＩフィードバックフォーマットを示す。図１１Ａは、相対値Ｄｋが小さい場合のＣＱＩフィードバックフォーマットを示し、図１１Ｂは、相対値Ｄｋが大きい場合のＣＱＩフィードバックフォーマットを示している。本実施の形態では、平均ＣＱＩの相対値ＤｋからＣＱＩフィードバックフォーマットを決定するため、ＣＱＩフォーマットインジケータは不要となる。また、平均ＣＱＩの量子化ビット数はストリーム番号に関係なく一定であり、第２ストリーム以降のストリームでは、平均ＣＱＩ以外のＣＱＩの量子化ビット数が可変となる。
【００３２】
従って、送信装置も相対値Ｄｋに基づいて、平均ＣＱＩ以外のＣＱＩ（ＣＱＩ１〜５）の量子化ビット数を決定するためには、平均ＣＱＩの量子化ビットの配置位置を送受信装置間で共有する必要がある。本実施の形態では、各ストリームの平均ＣＱＩの量子化ビットをＣＱＩフィードバックフォーマットの先頭にまとめて配置している。すなわち、量子化ビット数が変化しない平均ＣＱＩを先頭に配置し、量子化ビット数が可変となる第２ストリーム以降のＣＱＩ１〜５を平均ＣＱＩの後に配置している。
【００３３】
図１２は、本発明の実施の形態１に係る送信装置の構成を示すブロック図である。ここでは、アンテナを４本として説明する。無線受信部２０２は、受信装置からフィードバックされたフィードバック情報をアンテナ２０１−１〜２０１−４を介して受信し、受信したフィードバック情報をベースバンド信号にダウンコンバートし、フィードバック情報復調部２０３に出力する。
【００３４】
フィードバック情報復調部２０３は、図９に示した受信装置のフィードバック情報生成部１０４が備えるＣＱＩフィードバックテーブルと同じＣＱＩフィードバックテーブルを備え、無線受信部２０２から出力されたフィードバック情報をＣＱＩフィードバックテーブルに基づいて復調し、送信ウェイトとＣＱＩ（チャネル符号化率及び変調レベル）を取得する。取得した送信ウェイトはＭＩＭＯ多重部２０６に出力され、チャネル符号化率は符号化部２０４−１〜２０４−４に出力され、変調レベルは変調部２０５−１〜２０５−４に出力される。なお、フィードバック情報復調部２０３の詳細については後述する。
【００３５】
符号化部２０４−１〜２０４−４は、入力される各送信データをフィードバック情報復調部２０３から出力されたチャネル符号化率で符号化し、符号化データを変調部２０５−１〜２０５−４に出力する。変調部２０５−１〜２０５−４は、符号化部２０４−１〜２０４−４から出力された符号化データをフィードバック情報復調部２０３から出力された変調レベルで変調し、変調シンボルをＭＩＭＯ多重部２０６に出力する。
【００３６】
ＭＩＭＯ多重部２０６は、変調部２０５−１〜２０５−４から出力された変調シンボルにフィードバック情報復調部２０３から出力された送信ウェイトを乗算し、送信ストリームに変換する。ＭＩＭＯ多重部２０６は、全ての送信ストリームを多重し、無線送信部２０７−１〜２０７−４に出力する。
【００３７】
無線送信部２０７−１〜２０７−４は、ＭＩＭＯ多重部２０６から出力された送信ストリームをアップコンバートし、アンテナ２０１−１〜２０１−４から送信する。
【００３８】
次に、上述したフィードバック情報復調部２０３におけるフィードバック情報の復調について詳細に説明する。フィードバック情報復調部２０３は、ＣＱＩフィードバックフォーマットの先頭に配置されている各ストリームの平均ＣＱＩを復調する。これらの平均ＣＱＩは一定の量子化ビット数であることが予め決められている。フィードバック情報復調部２０３は、復調した平均ＣＱＩを用いて相対値Ｄｋを求める。具体的には、受信装置における処理と同様、第１ストリームの平均ＣＱＩ（Ｗ−ＣＱＩ１）と第ｋストリームの平均ＣＱＩ（Ｗ−ＣＱＩｋ）との差分（相対値Ｄｋ）を求める。フィードバック情報復調部２０３は、求めた相対値Ｄｋに対応する各ストリームのＣＱＩの量子化ビット数を図９に示したＣＱＩフィードバックテーブルから求め、求めたＣＱＩの量子化ビット数に基づいて、ＣＱＩを復調する。
【００３９】
このように実施の形態１によれば、Ｂｅｓｔ−Ｍ報告に基づくＣＱＩフィードバックを行う場合において、各ストリームの平均ＣＱＩの相対値と各ストリームにおける上位Ｍ個のＣＱＩの量子化ビット数とを対応付け、各ストリームの平均ＣＱＩと上位Ｍ個のＣＱＩとを含むＣＱＩフィードバック情報を生成することにより、ＣＱＩフォーマットインジケータに用いるビット数を削減し、ＣＱＩフィードバック量を削減することができる。
【００４０】
（実施の形態２）
実施の形態１では、Ｂｅｓｔ−Ｍ報告に基づくＣＱＩフィードバックを行う場合について説明したが、本発明の実施の形態２では、ＤＣＴ報告に基づくＣＱＩフィードバックを行う場合について説明する。ただし、本発明の実施の形態２に係る受信装置及び送信装置の構成は、一部の機能が異なるのみで実施の形態１の図７及び図１２に示した構成と同様であるので、図７及び図１２を援用し、異なる機能について説明する。
【００４１】
本発明の実施の形態２に係るフィードバック情報生成部１０４は、チャネル推定部１０３から出力された固有値をＲＢ毎に平均し、図１３に示すように、ＲＢ毎に平均した固有値を固有値番号（ストリーム）毎にＤＣＴ変換する。フィードバック情報生成部１０４は、ＤＣＴ出力のうちＤＣ成分と、ＤＣ成分を除く下位Ｍ個の周波数成分をフィードバックする周波数成分として選択し、固有値番号毎に決められた量子化ビット数でＣＱＩフィードバック情報を生成して無線送信部１０５に出力する。
【００４２】
具体的には、フィードバック情報生成部１０４は、第１ストリームのＤＣ成分（ＤＣ１）と第ｋストリーム（ｋは２以上）のＤＣ成分（ＤＣｋ）との差分である相対値Ｄｋを算出し、算出した相対値Ｄｋを量子化ビットの選択指標とする。すなわち、相対値Ｄｋによって、各ストリームの周波数成分に割り当てる量子化ビット数を決定する。例えば、フィードバック情報生成部１０４が図１４に示すようなフィードバックテーブルを備えているものとする。図中、Ｔ１＜Ｔ２＜Ｔ３とし、周波数１〜４は、Ｍ＝４としたときの下位周波数成分を示し、Ｙ１１〜Ｙ４４は各周波数成分の量子化ビット数を示している。また、周波数成分ｊ（１≦ｊ≦４）の量子化ビット数Ｙｉｊには、Ｙ１ｊ≧Ｙ２ｊ≧Ｙ３ｊ≧Ｙ４ｊの関係がある。ここで、相対値ＤｋがＴ１以上Ｔ２未満であったとすると、第ｋストリームにおける下位Ｍ個の周波数成分の量子化ビット数はＹ２１〜Ｙ２４ビットとなる。なお、各ストリームのＤＣ成分及び第１ストリームの周波数１〜４は、相対値に関係なく、一定の量子化ビット数で量子化する。
【００４３】
このように、相対値Ｄｋを求め、求めた相対値Ｄｋに対応する周波数成分量子化ビット数に基づいて、ＣＱＩフィードバック情報を生成する。図１５にＣＱＩフィードバックフォーマットを示す。図１５Ａは、相対値Ｄｋが小さい場合のＣＱＩフィードバックフォー
マットを示し、図１５Ｂは、相対値Ｄｋが大きい場合のＣＱＩフィードバックフォーマットを示している。本実施の形態では、ＤＣ成分の相対値ＤｋからＣＱＩフィードバックフォーマットを決定するため、ＣＱＩフォーマットインジケータは不要となる。また、ＤＣ成分の量子化ビット数はストリーム番号に関係なく一定であり、第２ストリーム以降のストリームでは、ＤＣ成分以外の低周波数成分の量子化ビット数が可変となる。
【００４４】
従って、送信装置も相対値Ｄｋに基づいて、ＤＣ成分以外の周波数成分の量子化ビット数を決定するためには、ＤＣ成分の量子化ビットの配置位置を送受信装置間で共有する必要がある。本実施の形態では、各ストリームのＤＣ成分の量子化ビットをＣＱＩフィードバックフォーマットの先頭にまとめて配置している。すなわち、量子化ビット数が変化しないＤＣ成分を先頭に配置し、量子化ビット数が可変となる第２ストリーム以降の周波数１〜４をＤＣ成分の後に配置している。
【００４５】
本発明の実施の形態２に係るフィードバック情報復調部２０３は、図１４に示した受信装置のフィードバック情報生成部１０４が備えるＣＱＩフィードバックテーブルと同じＣＱＩフィードバックテーブルを備え、無線受信部２０２から出力されたフィードバック情報をＣＱＩフィードバックテーブルに基づいて復調し、送信ウェイトと固有値（チャネル符号化率及び変調レベル）を取得する。取得した送信ウェイトはＭＩＭＯ多重部２０６に出力され、チャネル符号化率は符号化部２０４−１〜２０４−４に出力され、変調レベルは変調部２０５−１〜２０５−４に出力される。
【００４６】
具体的には、フィードバック情報復調部２０３は、ＣＱＩフィードバックフォーマットの先頭に配置されている各ストリームのＤＣ成分（ＤＣｋ）を復調する。これらのＤＣ成分は一定の量子化ビット数であることが予め決められている。フィードバック情報復調部２０３は、復調したＤＣ成分を用いて相対値Ｄｋを求める。すなわち、受信装置における処理と同様、第１ストリームのＤＣ成分（ＤＣ１）と第ｋストリームのＤＣ成分（ＤＣｋ）との差分（相対値Ｄｋ）を求める。フィードバック情報復調部２０３は、求めた相対値Ｄｋに対応する各ストリームの周波数成分の量子化ビット数を図１４に示したＣＱＩフィードバックテーブルから求め、求めた周波数成分の量子化ビット数に基づいて、ＤＣ成分とＭ個の周波数成分とをＩＤＣＴ変換してＲＢ毎の固有値を求める。求めた固有値からチャネル符号化率及び変調レベルが決定され、チャネル符号化率が符号化部２０４−１〜２０４−４に出力され、変調レベルが変調部２０５−１〜２０５−４に出力される。
【００４７】
このように実施の形態２によれば、ＤＣＴ報告に基づくＣＱＩフィードバックを行う場合において、各ストリームのＤＣ成分の相対値と各ストリームにおける下位Ｍ個の周波数成分の量子化ビット数とを対応付け、各ストリームのＤＣ成分と下位Ｍ個の周波数成分とを含むＣＱＩフィードバック情報を生成することにより、ＣＱＩフォーマットインジケータに用いるビット数を削減し、ＣＱＩフィードバック量を削減することができる。
【００４８】
上記各実施の形態では、本発明をハードウェアで構成する場合を例にとって説明したが、本発明はソフトウェアで実現することも可能である。
【００４９】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィ
ギュラブル・プロセッサを利用してもよい。
【００５１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００５２】
２００８年４月９日出願の特願２００８−１０１１７６の日本出願に含まれる明細書、図面及び要約書の開示内容は、すべて本願に援用される。
【産業上の利用可能性】
【００５３】
本発明にかかる無線受信装置、無線送信装置及びフィードバック方法は、ＭＩＭＯチャネルにおけるＣＱＩフィードバック量を削減することができ、例えば、移動通信システム等に適用できる。
【手続補正２】
【補正対象書類名】特許請求の範囲
【補正対象項目名】全文
【補正方法】変更
【補正の内容】
【特許請求の範囲】
【請求項１】
複数のアンテナから送信された信号を複数のアンテナを介して受信する受信手段と、
受信した前記信号のうちパイロット信号を用いて、送信アンテナ及び受信アンテナ間のチャネル行列を推定し、推定したチャネル行列を固有値分解して固有値を求めるチャネル推定手段と、
前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成手段と、
前記フィードバック情報を送信する送信手段と、
を具備する無線受信装置。
【請求項２】
前記フィードバック情報生成手段は、前記差分が大きいほど、２番目以降のストリームにおけるＭ個の品質指標を量子化する量子化ビット数を少なくする請求項１に記載の無線受信装置。
【請求項３】
前記フィードバック情報生成手段は、各ストリームの平均固有値に相当する品質指標をフィードバック情報のフォーマットにおける先頭にまとめて配置する請求項１に記載の無線受信装置。
【請求項４】
各ストリームの平均固有値に相当する品質指標を含むフィードバック情報を受信する受信手段と、
前記品質指標のストリーム間の差分を求め、前記差分に応じた量子化ビット数に基づいて、フィードバック情報を復調するフィードバック情報復調手段と、
を具備する無線送信装置。
【請求項５】
複数の送信アンテナ及び複数の受信アンテナ間のチャネル行列を推定し、推定したチャネル行列を固有値分解して固有値を求めるチャネル推定工程と、
受信した前記信号のうちパイロット信号を用いて、送信アンテナ及び受信アンテナ間のチャネル行列を推定し、推定したチャネル行列を固有値分解して固有値を求めるチャネル推定工程と、
前記固有値に基づいて、各ストリームの平均固有値に相当する品質指標のストリーム間の差分を求め、前記差分に応じた量子化ビット数を決定し、前記固有値の変動の度合いを表すＭ個の品質指標を、決定した前記量子化ビット数で量子化してフィードバック情報を生成するフィードバック情報生成工程と、
前記フィードバック情報を送信する送信工程と、
を具備するフィードバック方法。
【手続補正３】
【補正対象書類名】図面
【補正対象項目名】全図
【補正方法】変更
【補正の内容】
【図１】
2009125591.tif 000020
【図２】
2009125591.tif 000021
【図３】
2009125591.tif 000022
【図４】
2009125591.tif 000023
【図５】
2009125591.tif 000024
【図６】
2009125591.tif 000025
【図７】
2009125591.tif 000026
【図８】
2009125591.tif 000027
【図９】
2009125591.tif 000028
【図１０】
2009125591.tif 000029
【図１１】
2009125591.tif 000030
【図１２】
2009125591.tif 000031
【図１３】
2009125591.tif 000032
【図１４】
2009125591.tif 000033
【図１５】
2009125591.tif 000034
【国際調査報告】
2009125591.tif 000035
2009125591.tif 000036